(57)【要約】  【課題】旋回流型の水洗便器に取り付けたときに、リム部の下に目立たないように位置し、洗浄水を飛び散らせない取付け状態とし得る薬剤供給具を提供する。  【解決手段】ボウル部上端のリム部１０２に沿って延びる洗浄水案内用の凹路１０３に吐水口１０４から洗浄水を吐出して旋回流とする水洗便器のための薬剤供給具であって、薬剤を収容し洗浄水への接触により薬剤の溶出を可能にする容器部２と、下部を容器部２に結合され、上部を便器のリム部１０２に係止し得る保持部３とを備え、容器部２は、凹路１０３に沿って延びる細長い形状を有し所定の高さ及び奥行きを有するケーシング２０と、凹路への該ケーシング２０の進入を制限する突出部２６とを備えており、ケーシング２０における洗浄水到達側の端面（側壁２３）が傾斜面となっている薬剤供給具。【選択図】図１
2008248521.tif 000002
【特許請求の範囲】
【請求項１】
ボウル部上端のリム部に沿って延びる洗浄水案内用の凹路と、凹路の端部から該凹路に沿って洗浄水を吐出する吐水口とを有し、吐出された洗浄水を凹路を経てボウル部内面に流れる旋回流とする水洗便器のための薬剤供給具であって、
薬剤を収容し洗浄水への接触により薬剤の溶出を可能にする容器部と、
下部を前記容器部に結合され、上部を便器のリム部に係止し得る保持部とを備え、
前記容器部は、薬剤を収容するケーシングと、該ケーシングから前記凹路に向く側に突出し前記凹路への該ケーシングの進入を制限する突出部とを備えており、
前記ケーシングは、前記凹路に沿って延びる細長い形状を有し、高さが１０〜４５ｍｍ、奥行きが１０〜３０ｍｍであり、便器への取付け状態において該ケーシングにおける洗浄水到達側の端面が、凹路側及び／又は下側からその反対側へ行くに従ってケーシングの長手方向中央部から遠ざかるように傾斜した傾斜面となっていることを特徴とする薬剤供給具。
【請求項２】
前記ケーシングの傾斜面の傾斜が、前記ケーシングの長手方向軸線に垂直な面に対して３０〜８０度であることを特徴とする請求項１に記載の薬剤供給具。
【請求項３】
前記突出部の長さが、５〜２０ｍｍであることを特徴とする請求項１又は２に記載の薬剤供給具。
【請求項４】
前記突出部が、前記ケーシングの壁部の一部を、前記凹路へ向く側へ突出するように曲折させて形成されていることを特徴とする請求項１から３のいずれかに記載の薬剤供給具。
【請求項５】
前記突出部が、前記ケーシングの壁部に結合され、前記凹路へ向く側へ突出する部材により形成されていることを特徴とする請求項１から３のいずれかに記載の薬剤供給具。
【発明の詳細な説明】
【技術分野】
【０００１】
本発明は、水洗便器のリム部に取り付けられる薬剤供給具に関する。
【背景技術】
【０００２】
水洗便器には、洗浄水をボウル部内面に流れる旋回流とするタイプのものがある。例えば、特許文献１の水洗便器は、図１６に示すように、ボウル部１０１上端のリム部１０２に沿って延びる凹路１０３がボウル部内側に形成され、凹路１０３の端部に設けられた吐水口１０４から該凹路に沿って洗浄水Ｗを吐出し、吐出された洗浄水を該凹路を経てボウル部内面に流れる旋回流Ｓとする。
【０００３】
この種の水洗便器に対し、洗浄作用や消臭芳香効果を持たせるための薬剤供給具が提案されている。その薬剤供給具は、通常、薬剤を収容した容器を、フックにより便器のリム部からボウル部内に吊り下げて使用される。例えば、特許文献２に記載された薬剤供給具は、図１７に示すように、フック１１１によりリム部に吊り下げられる容器１１２内に高濃度の薬液を収容し、薬液を少量ずつ放出プレート１１３上に供給するようになっている。この薬剤供給具１１０は、ボウル部の凹路を流れる洗浄水の一部が放出プレート１１３上を流れるように設置されることにより、洗浄水が流れる毎に薬液が洗浄水に溶出する。
【０００４】
図１８は、この薬剤供給具１１０を図１６の水洗便器のリム部１０２に取り付けた状態を概略的に示している。この状態において、薬剤供給具１１０は凹路１０３に僅かに進入し、洗浄水の一部が放出プレート１１３に流れて、放出プレート１１３上の薬剤をボウル内へと導く。
【０００５】
しかしながら、この薬剤供給具は、容器がほぼ直方体形状とされており、その高さ及び奥行きの寸法が大きいため、取付け状態において、便器のリム部１０２からボウル中心側へ大きく突出する。その結果、便器内で目立って外観を損ねる上、汚物が付着し易く不衛生となりがちである。
【０００６】
これに対処するためには、薬剤供給具の容器の一部を便器の凹路内に進入させることが考えられる。そのような薬剤供給具として、特許文献３のものが提案されている。この薬剤供給具１２０は、図１９に示すように、格子状の壁部で細長い形状の容器１２１を形成し、これにフック状の保持部１２２を取り付けたものである。容器１２１は、その細長い形状に基づき、便器の凹路に進入させた取り付け状態とすることもでき、これにより、リムの下方に位置させて、目立たなくすることが可能である。
【特許文献１】特開２００２−９７７０４号公報
【特許文献２】特表２００３−５１７１２４号公報
【特許文献３】国際公開ＷＯ２００６／０１３３２１号公報
【発明の開示】
【発明が解決しようとする課題】
【０００７】
しかしながら、特許文献３の薬剤供給具は、便器への取付け状態において、容器が凹路内へ深く進入しすぎていると、吐水口から吐出された大量の洗浄水が容器に衝突し、洗浄水が便器外へ飛び散る事態を生じるおそれがあり、取付けの安全性を損なうという問題があった。
【０００８】
本発明は、これら従来技術の問題を解決し、旋回流型の水洗便器に取り付けて使用したときに、リム部の下に目立たないように位置させることができ、しかも洗浄水を飛び散らせない安全な取付け状態を実現し得る薬剤供給具を提供することを目的とする。
【課題を解決するための手段】
【０００９】
本発明は、前記目的を達成するため、ボウル部上端のリム部に沿って延びる洗浄水案内用の凹路と、凹路の端部から該凹路に沿って洗浄水を吐出する吐水口とを有し、吐出された洗浄水を凹路を経てボウル部内面に流れる旋回流とする水洗便器のための薬剤供給具であって、薬剤を収容し洗浄水への接触により薬剤の溶出を可能にする容器部と、下部を前記容器部に結合され、上部を便器のリム部に係止し得る保持部とを備え、前記容器部は、薬剤を収容するケーシングと、該ケーシングから前記凹路に向く側に突出し前記凹路への該ケーシングの進入を制限する突出部とを備えており、前記ケーシングは、前記凹路に沿って延びる細長い形状を有し、高さが１０〜４５ｍｍ、奥行きが１０〜３０ｍｍであり、便器への取付け状態において該ケーシングにおける洗浄水到達側の端面が、凹路側及び／又は下側からその反対側へ行くに従ってケーシングの長手方向中央部から遠ざかるように傾斜した傾斜面となっていることを特徴とする薬剤供給具を提供するものである。
【発明の効果】
【００１０】
本発明に係る薬剤供給具は、薬剤を収容し洗浄水への接触により薬剤の溶出を可能にする容器部と、下部を前記容器部に結合され、上部を便器のリム部に係止し得る保持部とを備えることにより、旋回流型の水洗便器のリム部に取り付けて使用することができる。そして、容器部は、薬剤を収容するケーシングを備え、該ケーシングは、前記凹路に沿って延びる細長い形状を有し、高さが１０〜４５ｍｍとされているので、通常の旋回流型の水洗便器の凹路にケーシングの一部を奥行き方向に進入させることができる。しかも、ケーシングの奥行きが１０〜３０ｍｍとされているので、ケーシングは、便器のリム部の下に大部分が隠れる状態となり、目立たない状態で便器に取付けることができる。
【００１１】
一方、ケーシングが凹路内へ深く進入しすぎると、吐水口から吐出された大量の洗浄水がケーシングに衝突し、洗浄水が便器外へ飛び散るという問題を引き起こすおそれがある。これに対し、
本発明に係る薬剤供給具においては、容器部はさらに、ケーシングから凹路に向く側に突出し凹路への該ケーシングの進入を制限する突出部を備えている。したがって、ケーシングが凹路内へ深く進入しすぎてケーシングに衝突した洗浄水が便器外へ飛び散るという問題を生じ難い。しかも、ケーシングは、便器への取付け状態において該ケーシングにおける洗浄水到達側の端面が、凹路側及び／又は下側からその反対側へ行くに従ってケーシングの長手方向中央部から遠ざかるように傾斜した傾斜面となっているので、ケーシング端面に到達した洗浄水は、該傾斜面に案内されて凹路側及び／又は下方へ導かれる。これにより、洗浄水の飛び散りの問題が確実に解消される。
【００１２】
したがって、本発明によれば、旋回流型の水洗便器に取り付けて使用したときに、リム部の下に目立たないように位置させることができ、汚物の付着が生じ難く、しかも洗浄水を飛び散らせない安全な取付け状態を実現し得る薬剤供給具を提供することができる。
【発明を実施するための最良の形態】
【００１３】
以下、本発明の実施形態について添付図面を参照しつつ説明する。図面中の同一又は同種の部分については、同じ番号を付して説明を省略することがある。
【００１４】
図１から図４は、本発明の一実施形態に係る薬剤供給具を示しており、図１は、旋回流型水洗便器の凹路に向く面の側から見た斜視図、図２は保持部側から見た斜視図、図３は正面図、図４は側面図である。この薬剤供給具１は、薬剤を収容し洗浄水への接触により薬剤の溶出を可能にする容器部２と、下部を容器部２に結合され、上部を便器のリム部に係止し得る保持部３とを備えている。この実施形態に係る薬剤供給具は、固形薬剤を使用するタイプのものであり、薬剤は、水への接触により表面から徐々に溶解する。
【００１５】
容器部２は、図１及び図２に示すように、箱状のケーシング２０と該ケーシングの背面に設けられ保持部を結合する結合部２４とを備えている。ケーシング２０は、水洗便器の凹路に沿って延びる細長い形状を有し、図５に開いた状態を示すように、後部２０ａと前部２０ｂとがヒンジ部２０ｃにより結合され、ヒンジ部２０ｃを中心にして前後に開閉可能となっている。後部２０ａは、後壁２１及び後部側壁２３ａを備え、後壁２１の中央部に結合部２４が設けられている。前部２０ｂは、前壁２２及び前部側壁２３ｂを備えている。後壁２１及び前壁２２は、各々縦断面が湾曲状をなしており、後部２０ａ及び前部２０ｂは、閉じられた状態において、薬剤を収容し得る箱状となる。ケーシング２０の閉じた状態は、後壁２１及び前壁２２の各々の両端部付近に設けられた微小フック２５ａ，２５ｂ（図４）の係合により維持され、開く際は、これらの微小フックが弾性変形して結合を解く。
【００１６】
前壁２２は、壁部の一部を、先端が鋭角状に突出するように凹路側へ曲折させており、これにより突出部２６が形成されている。ケーシング２０を閉じた状態において、後部側壁２３ａと前部側壁２３ｂとは、合わさって側壁２３を形成し、側壁２３は、後述する傾斜面となっている。
【００１７】
後壁２１及び前壁２２は、水洗便器の洗浄水を内部に通過させて薬剤に接触させ得るように、多数の細孔が形成されている。各細孔は、上下方向に延びるスリット状をなし、湾曲形状の後壁２１及び前壁２２の上下縁部付近に達し、上下縁部はケーシング２０の長手方向に細長く延びた状態となっている。そして、ポリエチレン、ポリプロピレン等の軟質プラスチックにより形成されているので、後壁２１及び前壁２２が上下縁部で曲がりやすく、ケーシング２０全体としても曲がりやすくなっている。したがって、水洗便器のリム及び凹路の湾曲形状に沿ってケーシング２０を湾曲させることができ、安定した取付け状態とすることができる。
【００１８】
また、ケーシング２０は、幅（長手方向寸法）Ｗが１７０ｍｍ、高さＨが３０ｍｍ、奥行きＤが１７ｍｍとされ、突出部は、前壁２２からの突出長さＴが１５ｍｍとされている（図３及び図４参照）。ケーシング２０は、高さ及び奥行きを上記寸法とすることにより、通常の旋回流型の水洗便器の凹路に対し、一部を奥行き方向に進入させることができ、便器のリム部の下に大部分が隠れる状態となり、目立たない状態で取付けることができる。この効果を得るためには、ケーシングの高さを１０〜４５ｍｍ、奥行きを１０〜３０ｍｍとするのがよい。ケーシングの高さが、上記上限より高いと通常の旋回流型の水洗便器の凹路に進入し難い場合があり、上記上限より低いと十分な量の薬剤を収容し難くなる。また、ケーシングの奥行きが、上記上限より大きいと凹路からボウル内へのケーシングの突出量が大きくなり目立ちがちとなり、上記下限より小さいと十分な量の薬剤を収容し難くなる。この観点から、ケーシングは、高さを２０〜３５ｍｍ、奥行きを１２．５〜２２．５ｍｍとするのが望ましい。なお、ケーシングの幅（長手方向寸法）は、５０〜２５０ｍｍとするのが望ましい。ケーシングの幅が、この下限より小さいと、十分な薬剤を収納することが困難であり、上記上限より大きいと便器への取付けが困難となったり便器の形状に対する適合性が低下したりするという不利がある。この観点から、ケーシングの幅（長手方向寸法）は、７０〜２００ｍｍとするのがより望ましい。
【００１９】
また、突出部２６を形成する壁部は、衝突した洗浄水を飛び散らせないよう、薄くするのが好ましく、必要な強度を有し且つ５ｍｍ以下の厚さとされるのが望ましく、３ｍｍ以下とするのがより望ましい。この突出部の壁部の厚さは、壁部が、図に示された側面視Ｖ字状の折返し形状等のように曲折して延びている場合、延びている壁部自体の厚さを意味する。
【００２０】
さらに、ケーシング２０の側壁２３の傾斜面は、下側から上側へ行くに従ってケーシングの長手方向中央部から遠ざかるように傾斜した傾斜面となっており、ケーシング２０の長手方向軸線に垂直な面に対する傾斜角Ａが、４５度となっている。これにより、便器の吐水口からケーシング２０端面に到達した洗浄水は、該傾斜面に案内されて凹路内で下方へ導かれ、洗浄水の飛び散りが防止される。この効果を得るためには、前記端面は、凹路側からその反対側へ行くに従ってケーシングの長手方向中央部から遠ざかるように傾斜した傾斜面とすることもできる。また、これら上下方向及び凹路への接近離反方向の両方へ傾斜した傾斜面とすることもできる。いずれの場合も、傾斜面の傾斜角は、ケーシングの長手方向軸線に垂直な面に対して、３０〜８０度とするのが望ましい。この傾斜角が上記下限より小さいと、傾斜面による洗浄水の飛び散り防止効果が十分に得られない場合があり、上記上限より大きいと、薬剤の収容量が小さくなりすぎたり、十分な収容量を得ようとするとケーシングの寸法が大きくなりすぎたりするという支障がある。この観点から、上記傾斜は、４０〜６０度とするのがより望ましい。なお、この実施形態においては、左右両方の側壁２３が傾斜しているが、上記効果を得るためには、少なくとも、便器への取付け状態において洗浄水が到達する側の側壁が、傾斜面となっていればよい。
【００２１】
保持部３は、後壁２１背面の結合部２４に結合され縦方向に長い貫通孔３４０を有したガイド部３４と、該ガイド部３４の貫通孔に通されて上下方向に摺動可能とされたフック部３５とを備えている。
【００２２】
フック部３５は、貫通孔３４０に通された縦片３５１と、該縦片の上端からほぼ水平に延びる横片３５２と、該横片の先端から斜め下方へ縦片３５１に接近するように延びる係止片３５３とを備えている。縦片３５１の前面には、水平に延びる微小凸部が上下方向に多数設けられ、貫通孔３４０の内部には該凸部に係合する凹凸部が設けられ、両者の係合により、縦片３５１は任意の上下位置でガイド部３４に保持されるようになっている。フック部３５は、弾性に富むプラスチック材料で形成され、縦片３５１、横片３５２及び係止片３５３は、市販されている旋回流型水洗便器のリム部に係合させ得る寸法とされている。したがって、縦片３５１をガイド部３４に対して適切な上下位置とし、全体を弾性変形させてリム部に係止することにより、ケーシング２０を便器の凹路に望む位置に取り付けることができる。フック部３５は、この取付け状態において、ケーシング２０を便器の凹路側に押し付けるように弾性力が作用し、これにより、ケーシング２０を凹路の壁面に沿って保持し得るのが望ましい。
【００２３】
図６、図７及び図８は、この薬剤供給具１を水洗便器のリム部に取付けた状態の一例を各々平面図、斜視図、縦断面図で示している。図示のように、ケーシング２０は、前壁２２が水洗便器の凹路に向くように配置され、保持部３は、フック部３５の横片３５２を便器のリム部１０２の上面、係止片３５３をリム部１０２の外周面に当てがうようにしてリム部１０２に係止している。この取付け状態において、ケーシング２０は、凹路１０３内に一部が進入し、突出部２６の先端が凹路１０３の奥端の壁面に当接することにより、それ以上の凹路１０３内への進入が制限されている。この実施形態においては、突出部２６がケーシング２０の前壁２２の水平方向におけるほぼ全長に亘って設けられているが、凹路１０３内への進入の制限のためには、突出部の全体が凹路１０３の奥端に当接する必要はなく、端部やその近傍、中央部等、その一部が当接すればよい。また、便器の凹路の形状や寸法によっては、ケーシング２０の前壁２２が凹路の開口縁部に当接して凹路内への進入が制限されるものもある。そのような場合においては、突出部２６は、凹路奥端の壁に当接することなく凹路内に位置することもあるが、その場合も薬剤供給具の機能上問題となることはない。
【００２４】
図９〜図１２は、本発明の他の実施形態に係る薬剤供給具１を示しており、図９は、旋回流型水洗便器の凹路に向く面の側から見た斜視図、図１０は保持部側から見た斜視図、図１１は正面図、図１２は側面図である。また、図１３は、ケーシング２０を開いた状態を示している。この薬剤供給具１も、固形薬剤を使用するタイプのものであり、図１〜図４に示した薬剤供給具とほぼ同様の構造を備えている。但し、この実施形態においては、前壁２２により形成された突出部２６が、ケーシング２０の幅方向中央部で長く、両端部で短くなるように、ケーシング長手方向の位置に応じて突出寸法を次第に変化させている（図９、図１３参照）。これにより、便器のリム部及び凹路の湾曲形状に突出部先端が適合し易くなり、安定した取付け状態が得られ易くなっている。また、突出部の突出寸法が洗浄水が到達する側へ次第に短くなっているので、洗浄水への接触箇所が漸進的に増加することになり、突出部との接触による流れの急激な変化が防止される。その結果、洗浄水の飛び散りがより確実に防止され、またケーシングの取付け状態がより安定となる。さらに、突出部２６は、便器への取付け状態において洗浄水が到達する側（便器の吐水口に近い側）で前壁２２の高い位置、反対側で前壁２２の低い位置となるように、設置高さが次第に変化している（図１１参照）。凹路内を流れる洗浄水は、凹路を進行するに従って重力により漸進的に下降する流れとなる。これに対し、突出部２６は、吐水口に近い側で前壁２２の高い位置、反対側で前壁２２の低い位置となるように設置高さが変化しているので、この変化が、漸進的に下降する流れと合致する傾向となる。その結果、洗浄水から受ける力が弱まり、取付け状態がより安定する。また、凹路内を流れる水に対して突出部２６が示す抵抗が減少し、水流の流速低下が少なくなる。
【００２５】
図１４は、本発明のさらに他の実施形態に係る薬剤供給具１を示している。この実施形態も、図１〜図４に示した薬剤供給具とほぼ同様の構造を有している。但し、この実施形態においては、ケーシング２０の前壁２２は、突出部を形成するための曲折がなく、平らな面となっている。そして、突出部２６’は、前壁２２の両端部付近から凹路側へ延びる細長片により形成されている。この突出部２６’も、前述の突出部と同様に、便器への取付け状態において、先端が凹路１０３の奥端の壁面に当接することにより、ケーシング２０の凹路１０３内への進入距離を一定に制限する。
【００２６】
この細長片による突出部２６’の望ましい寸法については、前述の突出部２６と同様のことが言える。特にこの突出部２６’は、凹路内に位置しても体積が小さいため、洗浄水から受ける力が弱く、取付け状態の安定上有利であり、また、凹路内を流れる水に対して突出部２６’が示す抵抗が小さく、水流の流速低下が少なくなる。この突出部２６’は、図１４に破線で示すように、ケーシング２０の幅方向における中央部に設ける等、前壁２２の種々の箇所に設けることができる。突出部２６’の形状は、図示のような断面円形の棒状とする他、断面を長円形や、三角形、四角形等の多角形等とすることができ、或いは、突出部の形状を錐体状又は板状とすることもできる。
【００２７】
図１５は、本発明のさらに他の実施形態に係る薬剤供給具１を示す平面図である。この実施形態においては、ケーシング２０の側壁２３’が、凹路側からその反対側（凹路から遠ざかる側）へ行くに従ってケーシングの長手方向中央部から遠ざかるように傾斜した傾斜面となっている。これにより、便器の吐水口からケーシング２０端面に到達した洗浄水は、該傾斜面に案内されて凹路の内方へ導かれ、洗浄水の飛び散りが防止される。この効果を得るための望ましい傾斜角は前述の通りであり、この実施形態では、ケーシング２０の長手方向軸線に垂直な面に対する傾斜角Ｂが、４５度となっている。
【００２８】
本発明は、上記実施形態に限定されるものではなく、種々の変形が可能である。突出部は、前述の実施形態に示したものに限らず、ケーシングから水洗便器の凹路に向く側に突出し凹路へのケーシングの進入を制限する種々の形態とすることができる。保持部も、実施形態に示したものに限定されず、例えば、手で変形可能であり、且つ、変形された後は通常使用時の外力に対して保形性を有する程度の柔軟性を有した棒状部材とする等、種々の材質及び形状とすることができる。そのような棒状部材は、例えば、金属製の芯材を塩化ビニル等の軟質プラスチックで覆ったものとして形成することができる。保持部はさらに、紐、テープ等の可撓性長尺材に粘着部等のような便器への固定手段を設けたものことすることもできる。また、容器部は、薬剤を収容し、該薬剤を洗浄水への接触により溶出させ得るように、種々の形状の細孔を有したものや網状壁により細孔を形成したのもの等とすることができる。細孔は、ケーシングの前壁及び後壁の双方又は前壁に対しその全面又は一部に設けることができる。
【図面の簡単な説明】
【００２９】
【図１】本発明の一実施形態に係る薬剤供給具を水洗便器の凹路に向く面の側から見た斜視図である。
【図２】図１に示した薬剤供給具を保持部側から見た斜視図である。
【図３】図１に示した薬剤供給具の正面図である。
【図４】図１に示した薬剤供給具の側面図である。
【図５】図１に示した薬剤供給具の容器部を開いた状態で示す斜視図である。
【図６】図１に示した薬剤供給具を水洗便器のリム部に取付けた状態を示す平面図である。
【図７】図１に示した薬剤供給具を水洗便器のリム部に取付けた状態を示す斜視図である。
【図８】図１に示した薬剤供給具を水洗便器のリム部に取付けた状態を示す縦断側面図である。
【図９】本発明の他の実施形態に係る薬剤供給具を水洗便器の凹路に向く面の側から見た斜視図である。
【図１０】図９に示した薬剤供給具を保持部側から見た斜視図である。
【図１１】図９に示した薬剤供給具の正面図である。
【図１２】図９に示した薬剤供給具の側面図である。
【図１３】図９に示した薬剤供給具の容器部を開いた状態で示す斜視図である。
【図１４】本発明のさらに他の実施形態に係る薬剤供給具を水洗便器の凹路に向く面の側から見た斜視図である。
【図１５】本発明のさらに他の実施形態に係る薬剤供給具の平面図である。
【図１６】旋回流型水洗便器の一例を示す斜視図である。
【図１７】従来の薬剤供給具の一例を示す斜視図である。
【図１８】図１７に示した薬剤供給具の種々の取付け状態を示す側面図である。
【図１９】従来の薬剤供給具の他の例を示す斜視図である。
【符号の説明】
【００３０】
１  薬剤供給具
２  容器部
３  保持部
２０  ケーシング
２１  前壁
２２  後壁
２３，２３’  側壁（傾斜面）
２６，２６’  突出部
１０１  ボウル部（水洗便器）
１０２  リム部（水洗便器）
１０３  凹路（水洗便器）
１０４  吐水口（水洗便器）
【図１】
2008248521.tif 000003
【図２】
2008248521.tif 000004
【図３】
2008248521.tif 000005
【図４】
2008248521.tif 000006
【図５】
2008248521.tif 000007
【図６】
2008248521.tif 000008
【図７】
2008248521.tif 000009
【図８】
2008248521.tif 000010
【図９】
2008248521.tif 000011
【図１０】
2008248521.tif 000012
【図１１】
2008248521.tif 000013
【図１２】
2008248521.tif 000014
【図１３】
2008248521.tif 000015
【図１４】
2008248521.tif 000016
【図１５】
2008248521.tif 000017
【図１６】
2008248521.tif 000018
【図１７】
2008248521.tif 000019
【図１８】
2008248521.tif 000020
【図１９】
2008248521.tif 000021